(57)【要約】【課題】偽造、改ざん防止効果を向上させることを目的とした印刷物及び印刷物製造方法を提供することを目的とする。【解決手段】印刷基材の面上に、文字、図形、記号、番号、絵柄等の情報が印刷された情報層が設けられた印刷物であって、凹凸パターンを施したことを特徴とする。また、前記凹凸パターンは、少なくとも前記情報層の部位に施されることが好ましく、更に前記情報層上に隠蔽層を設けた場合には前記凹凸パターンは、前記情報層が設けられた面と反対の面にのみ施されることが好ましい。【選択図】図１
2007130846.tif 000002
【特許請求の範囲】
【請求項１】
印刷基材の面上に、文字、図形、記号、番号、絵柄等の情報が印刷された情報層が設けられた印刷物であって、
凹凸パターンを施したことを特徴とする印刷物。
【請求項２】
請求項１に記載の印刷物において、
前記凹凸パターンは、少なくとも前記情報層の部位に施されることを特徴とする印刷物。
【請求項３】
請求項１又は請求項２に記載の印刷物において、
前記情報層上に隠蔽層を更に設け、
前記凹凸パターンは、前記情報層が設けられた面と反対の面にのみ施されることを特徴とする印刷物。
【請求項４】
請求項３に記載の印刷物において、
前記印刷基材の前記情報層が印刷された面と反対の面に樹脂、インク等によって前記凹凸パターンを成形することを特徴とする印刷物。
【請求項５】
請求項３に記載の印刷物において、
前記凹凸パターンが施された凹凸基材を有し、
前記印刷基材と、前記凹凸基材とが接着されて構成されることを特徴とする印刷物。
【請求項６】
請求項３乃至請求項５のいずれか一項に記載の印刷物において、
前記情報は抽選パターンであって、
前記隠蔽層は、剥離性を有する材料から成ることを特徴とする印刷物。
【請求項７】
複数の印刷物を製造するための印刷基材の面上に、各前記印刷物に対応する文字、図形、記号、番号、絵柄等の情報が印刷された情報層を形成する工程と、
凹凸パターンが施された凹凸基材を、前記印刷基材の前記情報層が印刷された面と反対の面に接着する接着工程と、
前記印刷基材を、所定の大きさに裁断して複数の前記印刷物を製造する印刷物製造方法。
【請求項８】
請求項７に記載の印刷物製造方法において、
前記接着工程は、前記凹凸基材を前記印刷基材と接着する際に、前記凹凸パターンが少なくとも前記情報層の部位に対応するよう、前記凹凸基材を前記印刷基材と接着することを特徴とする印刷物製造方法。
【請求項９】
請求項７又は請求項８に記載の印刷物製造方法において、
前記情報は抽選パターンであって、前記情報層には、当該抽選パターンが第１の繰り返し間隔で順次印刷されており、
前記凹凸基材には、前記凹凸パターンが第１の繰り返し間隔とは異なる第２の繰り返し間隔で繰り返し施されていることを特徴とする印刷物製造方法。
【請求項１０】
請求項７乃至請求項９のいずれか一項に記載の印刷物製造方法において、
前記情報層上に剥離性を有する材料から成る隠蔽層を形成する工程を有することを特徴とする印刷物製造方法。
【発明の詳細な説明】
【技術分野】
【０００１】
本発明は、印刷基材上に文字や図形等によって情報が印刷された印刷物及び印刷物製造方法に関し、特に当該情報の改ざん防止効果を向上させた印刷物及び印刷物製造方法に関する。
【背景技術】
【０００２】
各種くじや有価証券の番号、文字、パターン等の抽選パターンにより当たり、ハズレが決定される抽選券、馬券、入場券、ゲーム券等のくじ券が知られている。
【０００３】
しかし、これら複数のハズレ券を用いて、番号や文字、パターン等の抽選パターンを貼り変えたり、修正してハズレ券を当たり券かの如く改ざんする偽造が発生していた。
【０００４】
そのため、これらのくじ券にはラインパターン等の地紋、細紋等の偽造防止印刷を施したり、特殊インキによる印刷で偽造防止が図られている。
【０００５】
また、抽選パターン上を隠蔽層で覆い隠し、利用者がくじ券を購入後に隠蔽層を削り取り、印刷された抽選パターンの内容識別により当たり券かハズレ券かを確認できるスクラッチカード等の被覆式抽選券が実用化されている。（特許文献１参照）
【０００６】
【特許文献１】特開２００２−５２８７４号公報
【発明の開示】
【発明が解決しようとする課題】
【０００７】
上述したように、偽造防止のためくじ券にラインパターン等の等の地紋、細紋等の印刷を施すためには、ラインパターンを印刷する印刷ユニットが必要になり、製造コストが増加するという不都合があった。
【０００８】
さらに、市販されている家庭用プリンターを用いて、ハズレ券に対してラインパターンを印刷することができ、誰でも容易に当たり券の改ざんや偽造を行なえてしまうという問題があった。
【０００９】
本発明は、上記の問題に鑑みなされたものであり、印刷物に印刷された情報の偽造、改ざん防止効果を向上させることを目的とした印刷物及び印刷物製造方法を提供する。
【課題を解決するための手段】
【００１０】
上記課題を解決すべく、請求項１に記載の印刷物は、印刷基材の面上に、文字、図形、記号、番号、絵柄等の情報が印刷された情報層が設けられた印刷物であって、凹凸パターンを施したことを特徴とする印刷物である。
【００１１】
この発明によれば、当該凹凸パターンを確認することにより、複数のハズレ券を用いて、番号や文字、パターン等の抽選パターンを貼り変えたり、修正してハズレ券を当たり券かの如く改ざんする偽造を効果的に防止できる。
【００１２】
上記課題を解決すべく、請求項２に記載の印刷物は、請求項１に記載の印刷物において、前記凹凸パターンは、少なくとも前記情報層の部位に施されることを特徴とする印刷物である。
【００１３】
この発明によれば、情報層の部位に凹凸パターンが施されるためより効果的に偽造を防止することができる。
【００１４】
上記課題を解決すべく、請求項３に記載の印刷物は、請求項１又は請求項２に記載の印刷物において、前記情報層上に隠蔽層を更に設け、前記凹凸パターンは、前記情報層が設けられた面と反対の面にのみ施されることを特徴とする印刷物である。
【００１５】
この発明によれば、印刷物が隠蔽層を設けたいわゆる剥離式印刷物である場合でも、隠蔽層を剥がす際にも凹凸パターンが妨げとなることがなく、良好な偽造防止印刷物を提供することができる。
【００１６】
上記課題を解決すべく、請求項４に記載の印刷物は、請求項３に記載の印刷物において、前記印刷基材の前記情報層が印刷された面と反対の面に樹脂、インク等によって前記凹凸パターンを成形することを特徴とする印刷物である。
【００１７】
この発明によれば、隠蔽層を剥がす際にも凹凸パターンが妨げとなることがなく、良好な偽造防止印刷物を提供することができる。
【００１８】
上記課題を解決すべく、請求項５に記載の印刷物は、請求項３に記載の印刷物において、前記凹凸パターンが施された凹凸基材を有し、前記印刷基材と、前記凹凸基材とが接着されて構成されることを特徴とする印刷物である。
【００１９】
この発明によれば、隠蔽層を剥がす際にも凹凸パターンが妨げとなることがなく、良好な偽造防止印刷物を提供することができる。
【００２０】
上記課題を解決すべく、請求項６に記載の印刷物は、請求項３乃至請求項５のいずれか一項に記載の印刷物において、前記情報は抽選パターンであって、前記隠蔽層は、剥離性を有する材料から成ることを特徴とする印刷物である。
【００２１】
この発明によれば、凹凸パターンが施された印刷物であっても隠蔽層を容易に剥がすことが可能な偽造防止印刷物を提供することができる。
【００２２】
上記課題を解決すべく、請求項７に記載の印刷物製造方法は、複数の印刷物を製造するための印刷基材の面上に、各前記印刷物に対応する文字、図形、記号、番号、絵柄等の情報が印刷された情報層を形成する工程と、凹凸パターンが施された凹凸基材を、前記印刷基材の前記情報層が印刷された面と反対の面に接着する接着工程と、前記印刷基材を、所定の大きさに裁断して複数の前記印刷物を製造する印刷物製造方法である。
【００２３】
この発明によれば、当該凹凸パターンを確認することにより、複数のハズレ券を用いて、番号や文字、パターン等の抽選パターンを貼り変えたり、修正してハズレ券を当たり券かの如く改ざんする偽造を効果的に防止できる偽造防止印刷物を製造することができる。
【００２４】
上記課題を解決すべく、請求項８に記載の印刷物製造方法は、請求項７に記載の印刷物製造方法において、前記接着工程は、前記凹凸基材を前記印刷基材と接着する際に、前記凹凸パターンが少なくとも前記情報層の部位に対応するよう、前記凹凸基材を前記印刷基材と接着することを特徴とする印刷物製造方法である。
【００２５】
この発明によれば、情報層の部位に凹凸パターンが施されるためより効果的に偽造を防止することができる偽造防止印刷物を製造することができる。
【００２６】
上記課題を解決すべく、請求項９に記載の印刷物製造方法は、請求項７又は請求項８に記載の印刷物製造方法において、前記情報は抽選パターンであって、前記情報層には、当該抽選パターンが第１の繰り返し間隔で順次印刷されており、前記凹凸基材には、前記凹凸パターンが第１の繰り返し間隔とは異なる第２の繰り返し間隔で繰り返し施されていることを特徴とする印刷物製造方法である。
【００２７】
この発明によれば、各印刷物ごとに異なる凹凸パターンを形成することができ、より効果的に偽造を防止することができる。
【００２８】
上記課題を解決すべく、請求項１０に記載の印刷物製造方法は、請求項７乃至請求項９のいずれか一項に記載の印刷物製造方法において、前記情報層上に剥離性を有する材料から成る隠蔽層を形成する工程を有することを特徴とする印刷物製造方法である。
【００２９】
この発明によれば、印刷物が隠蔽層を設けたいわゆる剥離式印刷物であっても、偽造を効果的に防止できる偽造防止印刷物を製造することができる。
【発明の効果】
【００３０】
本発明の印刷物によれば、印刷物に凹凸パターンを施すことによって複数のハズレ券を用いて、番号や文字、パターン等の抽選パターンを貼り変えたり、修正してハズレ券を当たり券かの如く改ざんする偽造等を凹凸パターンに基づいて効果的に防止できる。
【発明を実施するための最良の形態】
【００３１】
本発明の印刷物及び印刷物製造方法について、図面を参照して説明する。なお、図１は本発明の印刷物の断面図を示す。
【００３２】
図１に示すように、本発明の印刷物１０は、印刷基材１１上に、文字、図形、記号、番号、絵柄等の情報が印刷された情報層１２と、エンボス加工などによって凹凸パターンが施された凹凸基材１３と、が設けられる。
【００３３】
以下に、本発明の印刷物を構成する各層について説明する。なお、本発明における上下の語は、図１における各断面図における印刷基材１１を下側とし、情報層１２を上側とした製造状態における上下を示す。
【００３４】
印刷基材１１は、情報層１２等の各層をその上に積層する基材となるものである。基材の材料は、従来からの印刷物、いわゆるスクラッチカードや通知はがき等に用いられている基材であれば特に限定されないが、具体的には、上質紙、中質紙、コート紙、合成紙、含浸紙、ラミネート紙、金属蒸着紙、印刷用塗工紙、記録用塗工紙等の紙、ポリエチレンテレフタレートフィルム、ポリエチレンフィルム、ポリプロピレンフィルム、ポリカーボネートフィルム等のプラスチックフィルム、金属箔、あるいはそれらの複合体等が用いられる。印刷基材１１の材料は、印刷物１０に要求される強度や用途等に応じて適宜選択することができる。
【００３５】
印刷基材１１の厚さも特に限定されないが、例えば、１０μｍ〜１００μｍ程度とし、６０μｍ〜８０μｍ程度であることが好ましい。
【００３６】
情報層１２は、文字、図形、記号、番号、絵柄等の情報が印刷された層である。この情報としては、当たり・ハズレのくじであれば「あたり」、「はずれ」等の文字、数字や記号をあわせるくじであれば数字や記号、金額を知らせる通知であればその金額の数字、試験の合否等を知らせる通知であれば「合格」、「不合格」等の文字など、用途に応じて種々の文字、図形、記号等の情報となる。
【００３７】
情報層１２を形成する材料は、印刷基材１１または図示しない情報層１２の直下の層に密着できる材料であれば特に限定されないが、例えば、印刷基材１１または情報層１２の直下の層と異なる色の着色剤がバインダーとなる樹脂に含有されたものが用いられる。バインダー樹脂としては、公知のバインダー樹脂が用いられるが、例えば、ポリエステル樹脂、ウレタン樹脂、エポキシ樹脂、メラミン樹脂、アルキド樹脂、フェノール樹脂、アクリル樹脂等が用いられる。また、着色剤としては、公知の着色剤が用いられるが、例えば、酸化チタン、亜鉛華、カーボンブラック、酸化鉄、鉄黄、群青、メタリック顔料、パール顔料等が用いられる。
【００３８】
情報層１２は、上述のバインダー樹脂及び着色剤を分散・混合させたインキを用いて印刷される。このインキの溶媒は特に限定されず、水、アルコール等の従来公知の溶媒を用いることができ、また、バインダー樹脂、着色層、インキの溶媒等の混合割合も特に限定されず、情報層１２を適切に印刷できる混合割合とすればよい。情報層１２用のインキには、これらの基本的な構成に加えて、他の添加物を添加することができる。また、上述のインキ以外にも、後述する印刷方法によってはトナー（着色粉末）やインクリボン等を使用することができる。
【００３９】
また、情報層１２の形成方法は特に限定されないが、例えば、シルクスクリーン印刷、サーマルヘッドによる感熱リボン転写による印刷、インキジェット印刷、レーザー等によるトナー転写方式による印刷、ドットインパクト方式による印刷、オフセット印刷等が挙げられる。なお、この情報層１２は、市販のインクジェットプリンタやレーザプリンタを用いて印刷を行ない、形成することも可能である。
【００４０】
また、情報層１２の層厚も特に限定されないが、例えば、０．１μｍ〜３μｍ程度とし、０．５μｍ〜１μｍ程度であることが好ましい。
【００４１】
凹凸基材１３は、表面に物理的な凹凸が施された基材であって、例えば、上質紙、中質紙、コート紙、合成紙、含浸紙、ラミネート紙、金属蒸着紙、印刷用塗工紙、記録用塗工紙等の紙、ポリエチレンテレフタレートフィルム、ポリエチレンフィルム、ポリプロピレンフィルム、ポリカーボネートフィルム等のプラスチックフィルム、金属箔、あるいはそれらの複合体等の媒体に、エンボス加工等によって物理的な凹凸が型押しされたものが用いられる。凹凸基材１３の層厚も特に限定されないが、例えば、１０μｍ〜１００μｍ程度とし、６０μｍ〜８０μｍ程度であることが好ましい。
【００４２】
図２に凹凸基材１３を印刷基材１１にラミネート加工等によって接着する工程を示す。なお、印刷基材１１には、図示しない工程によって既に文字図形等の情報が印刷された情報層１２が、図２中に示す印刷基材１１の上方に形成されているものとする。
【００４３】
同図に示す如く、凹凸基材１３を、印刷基材１１の情報層１２が印刷された面と反対の面、すなわち同図において下方側の面にニップロールによって押圧して接着される。
【００４４】
そして、凹凸基材１３を接着した後の印刷基材１１を所定の印刷物１０の大きさに裁断し、複数の印刷物１０が製造される。
【００４５】
このように、凹凸基材１３を接着した印刷基材１１から複数の印刷物１０が裁断され製造されることから、印刷基材１１に印刷される情報（以下、「抽選パターン」という。）の繰り返し間隔と、凹凸基材１３に形成される凹凸（以下、「凹凸パターン」と言う。）の繰り返し間隔とがそれぞれ異なることが好ましい。
【００４６】
図３を用いて、夫々の繰り返し間隔についてより具体的に説明する。図３（Ａ）は抽選パターンの繰り返し間隔を説明するための印刷基材１１の正面図であり、図３（Ｂ）は凹凸パターンの繰り返し間隔を説明するための凹凸基材１３の正面図であり、図４は凹凸基材１３を接着した後の印刷基材１１の正面図である。
【００４７】
例えば、抽選パターンである星の絵柄が印刷基材１１に順次印刷される場合、図３（Ａ）に示す如く、抽選パターンが第１の繰り返し間隔で印刷基材１１上に順次印刷される。
【００４８】
そして、図３（Ｂ）に示す如く、凹凸基材１３には、凹凸パターンである三角形が上記抽選パターンの第１の繰り返し間隔とは異なる第２の繰り返し間隔で施される（加工される。）。
【００４９】
なお、上記各繰り返し間隔は、接着加工の排紙方向における間隔であって、図２中左〜右方向における間隔である。
【００５０】
上述の如く印刷基材１１と凹凸基材１３とを接着すると、図４に示す如く、各印刷物１０に夫々異なる凹凸パターンを形成することができるため、凹凸パターンの連続性等を確認することにより、抽選パターン（情報層１２）を印刷基材１１から剥がして加工形成する等の改ざんを発見しやすくなるため、改ざんを効果的に防止することができる。
【００５１】
なお、図４に示す如く抽選パターンの改ざんを効果的に防止するためには、当該抽選パターン（情報層１２）の部位に相当する箇所に、上記凹凸パターンが形成されることが望ましい。
【００５２】
また、図５（Ａ）に示すように、本発明の印刷物１０が隠蔽層を設けたくじ券等のいわゆる剥離式印刷物である場合など、文字、図形、記号、番号、絵柄等の情報が隠蔽すべき情報である場合には、当該隠蔽すべき情報を隠蔽するための剥離性を有する材料から成る隠蔽層１４が当該情報層１２に印刷された情報を覆うように、情報層１２上に設けられていてもよい。
【００５３】
また、図５（Ｂ）に示すように、本発明の印刷物１０は、情報層１２を保護する透明保護層１５がさらに設けられていてもよく、図５（Ｃ）に示すように、本発明の印刷物１０は、隠蔽層１４の下に、隠蔽層１４を剥離しやすくするために、剥離層１６がさらに設けられていてもよい。
【００５４】
上記隠蔽層１４は、本発明の印刷物１０に任意に設けられる情報層１２の情報を隠蔽する層であり、硬貨や爪で引っ掻くこと、セロハンテープを貼り付けて剥がすこと、端から全体を引き剥がすこと、等により印刷物１０の印刷基材１１から剥離可能となっている。
【００５５】
隠蔽層１４を形成する材料は、情報層１２上に形成することができ、剥離可能な材料であれば特に限定されないが、着色剤がバインダー樹脂に含有されたものが用いられる。バインダー樹脂としては、公知のバインダー樹脂が用いられるが、例えば、ゴム系天然樹脂（天然ゴム，塩酸ゴム等）、ジエン系樹脂（ポリブタジエン，スチレン・ブタジエン共重合体，アクリロニトリル・ブタジエン共重合体，ポリイソプレン，ポリクロロプレン等）や、アクリル系樹脂、ビニル系樹脂等が用いられる。また、着色剤としては、公知の着色剤が用いられるが、例えば、下層の隠蔽性を得るために、金属系微粉末（アルミニウム微粉末，黄銅微粉末，銅微粉末等）やそれらの酸化微粉末等が用いられる。
【００５６】
隠蔽層１４は、上述のバインダー樹脂及び着色剤を分散・混合させたインキまたは塗工液を用いて印刷または塗布される。このインキまたは塗工液の溶媒は特に限定されず、水、アルコール等の従来公知の溶媒を用いることができる。また、バインダー樹脂、着色層、インキまたは塗工液の溶媒等の混合割合も特に限定されず、隠蔽層１４を適切に印刷できる混合割合とすればよい。隠蔽層１４用のインキまたは塗工液には、これらの基本的な構成に加えて、他の添加物を添加することができる。
【００５７】
隠蔽層１４の形成方法は、上述のように印刷方法または塗布方法であれば特に限定されないが、例えば、シルクスクリーン印刷法、グラビアコート法、バーコート法、ロールコート法等が挙げられる。
【００５８】
また、隠蔽層１４は、印刷基材１１上に剥離可能なシート状の材料が貼り付けられたものであってもよい。隠蔽層１４の層厚も特に限定されない。
【００５９】
透明保護層１５は、本発明の印刷物１０に任意に設けられるものであり、隠蔽層１４が削られる等により剥離される際に、情報層１２が一緒に剥離されないように保護する層である。なお、透明保護層１５を形成する材料は、形成した後に透明または半透明であり、隠蔽すべき情報を視認できるものであれば特に限定されないが、バインダー樹脂としてフェノール樹脂、キシレン樹脂、尿素樹脂、メラミン樹脂、ケトン樹脂、アルキッド樹脂、ポリアミド樹脂、アクリル樹脂、ポリ塩化ビニル樹脂、塩化ビニル／酢酸ビニル共重合樹脂、ポリ酢酸ビニル樹脂、ポリビニルアルコール樹脂、ポリビニルブチラール樹脂、ポリスチレン樹脂、エポキシ樹脂、ポリウレタン樹脂、その他にＵＶ硬化型樹脂、ＥＢ硬化型樹脂等の放射線硬化型樹脂を含有するインキ組成物や、ＯＰニス等が用いられる。また、透明保護層１５は、情報層１２上にビニール貼りを行ったものでもよい。
【００６０】
透明保護層１５は、上述のバインダー樹脂を含有するインキ組成物を分散・混合させたインキやＯＰニスを用いて印刷または塗布される。このインキの溶媒は特に限定されず、水、アルコール等の従来公知の溶媒を用いることができる。また、バインダー樹脂とインキの溶媒等の混合割合も特に限定されず、透明保護層１５を適切に印刷できる混合割合とすればよい。透明保護層１５用のインキには、これらの基本的な構成に加えて、他の添加物を添加することができる。
【００６１】
透明保護層１５の形成方法は、印刷方法や塗布方法であれば特に限定されないが、オフセット印刷法、シルクスクリーン印刷法、グラビア印刷法等が挙げられる。透明保護層１５の層厚も特に限定されない。
【００６２】
剥離層１６は、本発明の印刷物１０に任意に設けられるものであり、隠蔽層１４が削られる等により剥離されやすくするために設けられる層である。剥離層１６は、情報層１２又は透明保護層１５上に設けられ、剥離層１６の上部の隠蔽層１４を含む層が剥離されることとなる。隠蔽層１４の直下の層、例えば透明保護層１５が剥離性を有する場合には、剥離層１６は設けなくともよい。
【００６３】
剥離層１６を形成する材料としては、上述の機能を有するものであれば特に限定されないが、例えば、ポリウレタン／アクリル樹脂、ポリアミド樹脂、ニトロセルロース樹脂に添加剤としてシリコンやワックス（ポリエチレンワックス等）を添加した剥離ニス等が用いられる。
【００６４】
剥離層１６の形成方法も、特に限定されないが、スクリーン印刷、グラビア印刷等が用いられる。剥離層１６の層厚も特に限定されない。
【００６５】
また、本発明の印刷物１０には、上述の任意に設けられる層以外にさらに他の層を設けてもよい。
【００６６】
なお、本発明の印刷物１０は上述した実施形態に限らず、例えば印刷基材１１に直接エンボス加工処理を行ない、凹凸パターンを施しても良いが、この場合には印刷物１０の両面に凹凸パターンが施されることとなるため、例えば、情報層１２上に隠蔽層１４を設けた場合には、印刷物１０の表面の凹凸により隠蔽層１４がはがれにくくなる可能性がある。従って、特に情報層１２上に隠蔽層１４を設けた場合には、凹凸パターンは印刷物１０の裏面のみに施すことが望ましく、上述したように凹凸パターンを施した凹凸基材１３を、印刷基材１１の情報層１２が設けられた面と反対の面に押圧して印刷物１０を形成することが好適である。
【００６７】
また、他の形態として、印刷物１０に凹凸パターンを施すために凹凸基材１３を用いずとも、印刷基材１１の情報層１２が設けられた面と反対の面に樹脂、インク等によって凹凸パターンを成形してもよい。
【００６８】
以上説明したように、本発明の印刷物１０は、印刷基材１１の面上に、文字、図形、記号、番号、絵柄等の抽選パターン等の情報を印刷した情報層１２を設け、更に凹凸パターンを施したので、当該凹凸パターンを確認することにより、複数のハズレ券を用いて、番号や文字、パターン等の抽選パターンを貼り変えたり、修正してハズレ券を当たり券かの如く改ざんする偽造を効果的に防止できる。
【００６９】
また、本発明の印刷物１０は、凹凸パターンを少なくとも情報が印刷された情報層１２上に施したので、より効果的に偽造を防止することができる。
【００７０】
また、情報層１２上に隠蔽層１４が設けられている場合には、凹凸パターンを情報層１２が設けられた面と反対の面にのみ施すよう構成したので、隠蔽層１４を剥がす際にも凹凸パターンが妨げとなることがなく、良好な偽造防止印刷物を提供することができる。
【００７１】
更に、複数の印刷物１０を製造する際に、情報層１２に印刷された抽選パターンの繰り返し間隔と異なる間隔で凹凸パターンが施されるよう構成したので、各印刷物１０ごとに異なる凹凸パターンを形成することができ、当該凹凸パターンの連続性等を確認することによって、より効果的に偽造を防止することができる。
【図面の簡単な説明】
【００７２】
【図１】本発明の印刷物の断面図の一例である。
【図２】本発明の接着工程を示す説明図である。
【図３】（Ａ）抽選パターンの繰り返し間隔を説明するための印刷基材１１の正面図である。（Ｂ）凹凸パターンの繰り返し間隔を説明するための凹凸基材１３の正面図である。
【図４】凹凸基材１３を接着した後の印刷基材１１の正面図である。
【図５】本発明の印刷物の断面図の他の例である。
【符号の説明】
【００７３】
１０…印刷物
１１…印刷基材
１２…情報層
１３…凹凸基材
１４…隠蔽層
１５…透明保護層
１６…剥離層
【図１】
2007130846.tif 000003
【図２】
2007130846.tif 000004
【図３】
2007130846.tif 000005
【図４】
2007130846.tif 000006
【図５】
2007130846.tif 000007